(57)【要約】【課題】保管に要するスペースの節減が可能であるとともに安価で破損し難いディスクパッケージ及びその製造方法を提供する。【解決手段】ディスク２００を収納するためのディスク収納部１０と、内容表示シート３００等の各種シートを挟持するシート挟持部２０と、を備え、これらディスク収納部１０とシート挟持部２０とが略平面を構成するように連接されてなるディスクパッケージ１である。ディスク収納部１０は、ディスク２００を収納する袋状部１１と、袋状部１０に対するディスク２００の挿入及び取出を実現させる出入口１２と、を有する。ディスク収納部１０及びシート挟持部２０は、可撓性薄板から構成される。【選択図】図９
2007112473.tif 000002
【特許請求の範囲】
【請求項１】
可撓性薄板から構成されディスクを収納する袋状部と、この袋状部に対するディスクの挿入及び取出を実現させる出入口と、を有するディスク収納部と、
可撓性薄板から構成されシートを挟持するシート挟持部と、を備え、
前記ディスク収納部と前記シート挟持部とが略平面を構成するように連接されてなるディスクパッケージ。
【請求項２】
前記ディスク収納部の前記袋状部は、
１枚の可撓性薄板を折曲して重ね合わせ、重ね合わせた部分の周縁部同士を接合して構成したものである請求項１に記載のディスクパッケージ。
【請求項３】
前記ディスク収納部の前記袋状部は、
２枚以上重ね合わせた可撓性薄板の周縁部同士を接合して構成したものである請求項１に記載のディスクパッケージ。
【請求項４】
前記シート挟持部は、
１枚の可撓性薄板を折曲して重ね合わせ、重ね合わせた部分の少なくとも一部の周縁部同士を接合して構成したものである請求項１から３の何れか一項に記載のディスクパッケージ。
【請求項５】
前記シート挟持部は、
２枚以上重ね合わせた可撓性薄板の少なくとも一部の周縁部同士を接合して構成したものである請求項１から３の何れか一項に記載のディスクパッケージ。
【請求項６】
前記シート挟持部は、
前記ディスク収納部の前記袋状部と、前記袋状部に重ね合わせた可撓性薄板と、の少なくとも一部の周縁部同士を接合して構成したものである請求項２又は３に記載のディスクパッケージ。
【請求項７】
前記シート挟持部は、
前記ディスク収納部の前記袋状部と、前記袋状部に重ね合わせた可撓性薄板と、の少なくとも一部の周縁部同士を接合して構成した第１挟持部と、この第１挟持部に折曲部を介して連接された第２挟持部と、を有する請求項２又は３に記載のディスクパッケージ。
【請求項８】
前記第２挟持部は、
前記ディスク収納部の前記袋状部と、前記袋状部に重ね合わせた可撓性薄板と、の少なくとも一部の周縁部同士を接合して構成したものである請求項７に記載のディスクパッケージ。
【請求項９】
前記折曲部は、
相互に平行に配置された２本の折曲線を有する請求項７又は８に記載のディスクパッケージ。
【請求項１０】
前記ディスク収納部の前記出入口は、
前記袋状部を構成する可撓性薄板に形成された切込部である請求項１から９の何れか一項に記載のディスクパッケージ。
【請求項１１】
前記ディスク収納部の前記袋状部を構成する可撓性薄板の一部が切り離し可能に構成され、
前記ディスク収納部の前記出入口は、
前記袋状部の前記一部を切り離すことにより形成された開口部である請求項１から９の何れか一項に記載のディスクパッケージ。
【請求項１２】
前記可撓性薄板は、略透明な合成樹脂材料から構成されてなる請求項１から１１の何れか一項に記載のディスクパッケージ。
【請求項１３】
ディスクを収納するディスク収納部と、シートを挟持するシート挟持部と、を備え、前記ディスク収納部と前記シート挟持部とが略平面を構成するように連接されてなるディスクパッケージを製造する方法であって、
長尺で略矩形形状を呈する一枚の長尺可撓性薄板を準備するシート準備工程と、
前記長尺可撓性薄板の長手方向に沿って複数の折曲部を形成する折曲部形成工程と、
前記長尺可撓性薄板を前記折曲部で折曲して重ね合わせ、この重ね合わせた部分の周縁部同士を接合することにより、前記ディスク収納部及び前記シート挟持部を形成する折曲接合工程と、
を含むディスクパッケージの製造方法。
【請求項１４】
請求項１から１２の何れか一項に記載のディスクパッケージと、
前記ディスクパッケージの前記シート挟持部に挟持された表紙と、
を備える書籍。
【請求項１５】
請求項１から１２の何れか一項に記載のディスクパッケージと、
前記ディスクパッケージの前記シート挟持部に挟持された宣伝情報表示シートと、
を備えるノベルティ。
【発明の詳細な説明】
【技術分野】
【０００１】
本発明は、ディスクパッケージ、書籍、ノベルティ及びディスクパッケージの製造方法に関する。
【背景技術】
【０００２】
現在、音声や画像を記録するＣＤ（Compact Disc）やＤＶＤ（Digital Versatile Disc）等の光ディスクが広く普及している。かかる光ディスクは、それ自体が商品として販売されるが、ノベルティ（販売促進用に頒布される製品）として宣伝広告用のカタログ等とともに頒布される場合もある。
【０００３】
このように光ディスクが販売等に供される際には、所定のケースに収納されるのが一般的である。従来から提案されている光ディスク収納用のケースとしては、透明な合成樹脂材料で成形された薄型の容器部と蓋部とがヒンジ部で連結されてなる薄型のディスク収納容器が挙げられる（例えば、特許文献１参照。）。
【特許文献１】特開平８−４８３８６号公報
【発明の開示】
【発明が解決しようとする課題】
【０００４】
しかし、前記特許文献１に記載されているような従来のディスク収納容器は、薄型とはいえ、剛性を確保する目的で容器部と蓋部とが所定の厚さを有しているため、ディスク収納容器を複数保管するには比較的広いスペースが必要となる。
【０００５】
また、前記した従来のディスク収納容器を製造するには、複数の部品（容器部、蓋部、ヒンジ部等）を成形した後に組み立てるという作業を要するため比較的多くの手間や費用を要し、ノベルティとしての頒布には適さないという問題もある。さらに、前記した従来のディスク収納容器を不注意で落下させたり誤って踏み付けたりすると、容器部や蓋部が割れてしまい、その後の使用が不可能となる場合もある。
【０００６】
本発明は、かかる状況に鑑みてなされたものであり、保管に要するスペースの節減が可能であるとともに安価で破損し難いディスクパッケージ及びその製造方法を提供することを目的とする。また、本発明は、前記ディスクパッケージを備えた書籍及びノベルティを提供することを目的とする。
【課題を解決するための手段】
【０００７】
前記目的を達成するため、本発明に係るディスクパッケージは、可撓性薄板から構成されディスクを収納する袋状部と、この袋状部に対するディスクの挿入及び取出を実現させる出入口と、を有するディスク収納部と、可撓性薄板から構成されシートを挟持するシート挟持部と、を備え、ディスク収納部とシート挟持部とが略平面を構成するように連接されてなるものである。
【０００８】
かかる構成を採用すると、ディスク収納部及びシート挟持部が可撓性薄板から構成され、これらが略平面を構成するように連接されているため、パッケージ全体の薄型化及び軽量化を実現させることができるとともに、製造費用を節減することが可能となり、なおかつ、落下等の際の破損を防止することができる。また、シート挟持部を備えるため、各種宣伝情報を表示したシートをこのシート挟持部で挟持することができるので、ノベルティとして頒布する際に好適に使用することができる。また、シート挟持部で例えば書籍の表紙を挟持すると、本発明に係るディスクパッケージを書籍カバーとして機能させることができるという利点がある。
【０００９】
前記ディスクパッケージにおいて、１枚の可撓性薄板を折曲して重ね合わせ、重ね合わせた部分の周縁部同士を接合して、ディスク収納部の袋状部を構成することができる。このようにすることにより、複数の部品を成形することなく容易にディスク収納部を製作することができる。また、前記ディスクパッケージにおいて、２枚以上重ね合わせた可撓性薄板の周縁部同士を接合して、ディスク収納部の袋状部を構成してもよい。
【００１０】
また、前記ディスクパッケージにおいて、１枚の可撓性薄板を折曲して重ね合わせ、重ね合わせた部分の周縁部同士を接合して、シート挟持部を構成することができる。このようにすることにより、複数の部品を成形することなく容易にシート挟持部を製作することができる。また、前記ディスクパッケージにおいて、２枚以上重ね合わせた可撓性薄板の少なくとも一部の周縁部同士を接合して、シート挟持部を構成してもよい。また、ディスク収納部の袋状部と、この袋状部に重ね合わせた可撓性薄板と、の少なくとも一部の周縁部同士を接合して、シート挟持部を構成することもできる。
【００１１】
また、前記ディスクパッケージにおいて、ディスク収納部の袋状部とこの袋状部に重ね合わせた可撓性薄板との少なくとも一部の周縁部同士を接合して構成した第１挟持部と、この第１挟持部に折曲部を介して連接された第２挟持部と、を有するシート挟持部を採用することができる。この際、ディスク収納部の袋状部と、この袋状部に重ね合わせた可撓性薄板と、の少なくとも一部の周縁部同士を接合して第２挟持部を構成することもできる。
【００１２】
また、前記ディスクパッケージにおいて、相互に平行に配置された２本の折曲線を有する折曲部を採用してもよい。このようにすることにより、折曲部が若干の幅を有することとなるため、ディスクパッケージを書籍カバーとして使用する場合には、シート挟持部で書籍の表紙を挟持する際に書籍の背表紙の幅に折曲部の幅を対応させることができ、シート挟持部と表紙との密着度を高めることができる。
【００１３】
また、前記ディスクパッケージにおいて、ディスク収納部の袋状部を構成する可撓性薄板に形成した切込部を、ディスク収納部の出入口とすることができる。このようにすることにより、ディスク収納部の出入口を容易に設けることができる。
【００１４】
また、前記ディスクパッケージにおいて、ディスク収納部の袋状部を構成する可撓性薄板の一部を切り離し可能に構成し、この一部を切り離すことにより袋状部に形成した開口部を、ディスク収納部の出入口とすることもできる。かかる構成を採用すると、袋状部の一部を切り離す前の状態においてディスクの抜脱や盗難を防止してディスクを確実に保護することが可能となる。
【００１５】
また、前記ディスクパッケージにおいて、可撓性薄板を、略透明な合成樹脂材料から構成することもできる。このようにすることにより、ディスク収納部に収納されたディスクやシート挟持部により挟持された各種シートを、外部から視認することができるようになる。従って、ディスクやシートに表示された各種装飾や各種情報を看者（需要者や取引者）に直接的に開示して印象付けることができるので、販売促進効果を高めることが可能となる。
【００１６】
また、本発明に係るディスクパッケージの製造方法は、ディスクを収納するディスク収納部と、シートを挟持するシート挟持部と、を備え、ディスク収納部とシート挟持部とが略平面を構成するように連接されてなるディスクパッケージを製造する方法であって、長尺で略矩形形状を呈する一枚の長尺可撓性薄板を準備するシート準備工程と、長尺可撓性薄板の長手方向に沿って複数の折曲部を形成する折曲部形成工程と、長尺可撓性薄板を折曲部で折曲して重ね合わせ、この重ね合わせた部分の周縁部同士を接合することにより、ディスク収納部及びシート挟持部を形成する折曲接合工程と、を含むものである。
【００１７】
かかる方法を採用すると、一枚の長尺可撓性薄板を折曲し所要部分を接合する等のきわめて簡素な工程を経てディスクパッケージを製造することができる。従って、従来のディスク収納容器を製造する際のように複数の部品を成形する必要がないため、製造のための手間や費用を格段に低減することができる。
【００１８】
また、本発明に係る書籍は、前記ディスクパッケージと、前記ディスクパッケージのシート挟持部に挟持された表紙と、を備えるものである。
【００１９】
かかる構成を採用すると、ディスクパッケージを書籍カバーとして機能させることができるので、書籍の汚れや損傷を低減することができる。また、書籍カバーとなるディスクパッケージはディスク収納部を備えるため、書籍の内容に関連する情報等を記録したディスクをディスク収納部に収納した状態で販売等に供することが可能となる。
【００２０】
また、本発明に係るノベルティは、前記ディスクパッケージと、前記ディスクパッケージのシート挟持部に挟持された宣伝情報表示シートと、を備えるものである。
【００２１】
かかる構成を採用すると、製造費用の低減が可能なディスクパッケージを用いて安価なノベルティを製造することができるので、少ない費用で高い販売促進効果を得ることが可能となる。
【発明の効果】
【００２２】
本発明によれば、薄型化及び軽量化が可能で保管に要するスペースの節減を実現させることができ、なおかつ、安価で破損し難いディスクパッケージを提供することができる。
【発明を実施するための最良の形態】
【００２３】
以下、図面を参照して、本発明の実施形態に係るディスクパッケージについて説明する。以下の各実施形態においては、ＤＶＤ等の各種ディスクを収納可能であるとともに書籍カバーとしても機能するディスクパッケージを例に挙げて説明することとする。
【００２４】
＜第１実施形態＞
まず、図１〜図１１を用いて、本発明の第１実施形態に係るディスクパッケージ１について説明する。ディスクパッケージ１は、図１〜図４に示すように、全体としてきわめて薄い略矩形シート状の外観を呈し、ＤＶＤを収納するディスク収納部１０と、書籍の表紙等の各種シートを挟持するシート挟持部２０と、を備えている。そして、これらディスク収納部１０とシート挟持部２０とが略平面を構成するように連接されている。
【００２５】
ディスク収納部１０は、後述する長尺可撓性薄板１００（図５）から構成されＤＶＤを収納する袋状部１１と、袋状部１１に対するＤＶＤの挿入及び取出を実現させる出入口としての切込部１２と、を有している。本実施形態においては、長尺可撓性薄板１００を折曲して重ね合わせた部分（後述する第１シート部分１０１及び第２シート部分１０２：図５）から袋状部１１を構成している。また、本実施形態においては、袋状部１１を構成する部分（後述する第２シート部分１０２：図５）に切込部１２を設けている。出入口としての切込部１２は、図１における上下方向に延在する２本の上下線部１２ａと、これら上下線部１２ａに各々連接され図１における左右方向に延在する２本の左右線部１２ｂと、これら左右線部１２ｂを繋ぐように設けられた下方凸形状線部１２ｃと、から構成されている。切込部１２の下方凸形状線部１２ｃの上方部分は、袋状部１１にＤＶＤを出し入れする際に把持される部分（把持部１３）として機能することとなる。切込部１２の図１における左右方向の寸法は、収納するＤＶＤの直径よりも若干大きい値に設定する。
【００２６】
シート挟持部２０は、ディスク収納部１０の袋状部１１と、長尺可撓性薄板１００の一部（後述する第３シート部分１０３：図５）と、を重ね合わせて構成した第１挟持部２１と、長尺可撓性薄板１００を折曲して重ね合わせた部分（後述する第４シート部分１０４及び第５シート部分１０５：図５）から構成した第２挟持部２２と、を有しており、第１挟持部２１及び第２挟持部２２は２段折曲部３０を介して連接されている。２段折曲部３０は、相互に平行に配置された２本の折曲線３１、３２から構成され、ディスクパッケージ１はこの２段折曲部３０で折曲される。本実施形態においては、ディスクパッケージ１が折曲した状態において、ディスク収納部１０とシート挟持部２０の第２挟持部２２とが対峙するようになっている。
【００２７】
次に、図５〜図８を用いて、本実施形態に係るディスクパッケージ１の製造方法について説明する。
【００２８】
まず、図５に示すような長尺で略矩形形状を呈する一枚の長尺可撓性薄板１００を準備する（シート準備工程）。長尺可撓性薄板１００の長さ及び幅は、製造されるディスクパッケージ１のサイズに応じて適宜設定することができる。本実施形態においては、長尺可撓性薄板１００として、略透明な合成樹脂材料から構成された合成樹脂シートを採用している。長尺可撓性薄板１００の厚さは、ディスクパッケージ１の大きさ、収納するＤＶＤのサイズ及び枚数、用途等に応じて適宜設定することができる。長尺可撓性薄板１００を構成する合成樹脂材料としては、ポリエチレンやポリプロピレン等を採用することができる。
【００２９】
次いで、長尺可撓性薄板１００の長手方向（図５における左右方向）に沿って略等間隔に、複数の折曲部（第１折曲部１１１、第２折曲部１１２、第３折曲部１１３、２段折曲部３０）を形成する（折曲部形成工程）。各折曲部は、長尺可撓性薄板１００の幅方向（図５における上下方向）に延在するように形成されている。かかる折曲部形成工程で形成された各折曲部により、長尺可撓性薄板１００は、図５に示すように５つのシート部分（第１シート部分１０１、第２シート部分１０２、第３シート部分１０３、第４シート部分１０４、第５シート部分１０５）に区分けされる。
【００３０】
本実施形態においては、２段折曲部３０を介して隣接する第３シート部分１０３及び第４シート部分１０４の面積を略同一に設定している。また、第３シート部分１０３及び第４シート部分１０４に各々折曲部（第２折曲部１１２及び第３折曲部１１３）を介して隣接する第２シート部分１０２及び第５シート部分１０５の面積を略同一に設定するとともに、これら第２シート部分１０２及び第５シート部分１０５の面積を第３シート部分１０３及び第４シート部分１０４の面積よりも若干小さくしている。また、第２シート部分１０２に第１折曲部１１１を介して隣接する第１シート部分１０１の一部（図５における下方部分）を切り欠いて、第１シート部分１０１の面積を第２シート部分１０２の面積よりも若干小さくしている。
【００３１】
次いで、図５に示すように、長尺可撓性薄板１００の第２シート部分１０２の上方寄り部分に、ディスク収納部１０の出入口としての切込部１２を形成する（切込部形成工程）。切込部１２は、前記したように、２本の上下線部１２ａと、これら上下線部１２ａに各々連なる２本の左右線部１２ｂと、これら左右線部１２ｂに連なる下方凸形状線部１２ｃと、から構成されている。なお、本実施形態においては、折曲部形成工程の後に切込部形成工程を実施しているが、折曲部形成工程と切込部形成工程とを同時に実施することもできる。
【００３２】
次いで、長尺可撓性薄板１００を第１折曲部１１１で折曲し、図６に示すように折曲した第１シート部分１０１を第２シート部分１０２に重ね合わせ、この重ね合わせた部分の上方周縁部１２１同士を接合する（第１折曲接合工程）。次いで、長尺可撓性薄板１００を第２折曲部１１２で折曲し、図７に示すように折曲した第２シート部分１０２を第３シート部分１０３に重ね合わせ、この重ね合わせた部分の下方周縁部１２２同士を接合する（第２折曲接合工程）。次いで、長尺可撓性薄板１００を第３折曲部１１３で折曲し、図８に示すように折曲した第５シート部分１０５を第４シート部分１０４に重ね合わせ、この重ね合わせた部分の下方周縁部１２３同士を接合する（第３折曲接合工程）。なお、第１〜第３折曲接合工程において周縁部同士を接合する際には、接着剤、粘着テープ、ステープラ、熱圧着、超音波溶着等を採用することができる。
【００３３】
第１折曲接合工程及び第２折曲接合工程により、ディスク収納部１０の袋状部１１と、シート挟持部２０の第１挟持部２１と、が形成される。また、第３折曲接合工程により、シート挟持部２０の第２挟持部２２が形成される。以上の工程群を経て、図１〜図４に示したディスクパッケージ１が得られることとなる。
【００３４】
次に、図９〜図１１を用いて、本実施形態に係るディスクパッケージ１の使用態様について説明する。
【００３５】
図９は、本実施形態に係るディスクパッケージ１のディスク収納部１０の袋状部１１にＤＶＤ２００を収納した状態を示すものである。かかる状態からＤＶＤ２００を取り出すには、ディスク収納部１０の袋状部１１に設けられた把持部１３を把持してめくり上げ、出入口としての切込部１２から袋状部１１の内部に指を挿入してＤＶＤ２００を把持して袋状部１１の外部に引き出すようにする。一方、ディスク収納部１０の袋状部１１にＤＶＤ２００を収納するには、ＤＶＤ２００を把持部１３に重ねるように配置し、切込部１２を構成する下方凸形状線部１２ｃの下方部分１４を若干引き上げて僅かな間隙を形成し、この間隙からＤＶＤ２００を袋状部１１の内部に押し込んで挿入する。
【００３６】
また、図９に示すように、ディスクパッケージ１の第２挟持部２２に内容表示シート３００を挿入することもできる。例えば、定期的に放送される各種スポーツ（野球、サッカー、相撲等）の番組をＤＶＤ２００に録画した場合には、そのスポーツが実施された日時や場所等の内容表示情報を内容表示シート３００に記入し、この内容表示シート３００を第２挟持部２２で挟持させることにより、ＤＶＤ２００に録画された内容を容易に把握することができるようになる（インデックス効果）。
【００３７】
図１０は、本実施形態に係るディスクパッケージ１のシート挟持部２０に社名や商標等の特定の宣伝情報が表示された宣伝情報表示シート３１０を挿入するとともに、ディスクパッケージ１を２段折曲部３０で折曲した状態を示すものである。このようにディスクパッケージ１と宣伝情報表示シート３１０とから構成されるものをノベルティとして頒布に供することができる。また、頒布されたノベルティはディスクパッケージとして使用することができ、図９に示すように内容表示シート３００を第２挟持部２２に挿入して長期間使用に供することができる。このようにノベルティをディスクパッケージとして長期間使用に供すると、ＤＶＤ２００を再生する者は、再生のたびに宣伝情報表示シート３１０を視認することとなる。この結果、広告宣伝効果が長期間持続する（コマーシャル効果）
【００３８】
図１１は、本実施形態に係るディスクパッケージ１のシート挟持部２０（第１挟持部２１及び第２挟持部２２）で書籍４００の表紙４１０を挟持させることにより、ディスクパッケージ１を書籍カバーとして機能させた状態を示すものである。この際、ディスクパッケージ１のシート挟持部２０の面積を書籍４００の表紙４１０の面積と略同一に設定するとともに、ディスクパッケージ１の２段折曲部３０の幅を書籍４００の背表紙４２０の幅に対応させるようにすると、シート挟持部２０及び２段折曲部３０の内側面を書籍４００の背表紙４２０に密着させることができる。
【００３９】
以上説明した実施形態に係るディスクパッケージ１においては、ディスク収納部１０（及びシート挟持部２０）が長尺可撓性薄板１００から構成されているため、パッケージ全体の薄型化及び軽量化を実現させることができるとともに、製造費用を節減することが可能となり、なおかつ、落下等の際の破損を防止することができる。また、シート挟持部２０を備えるため、内容表示シート３００や宣伝情報表示シート３１０等の各種シートをこのシート挟持部２０で挟持することができ、ノベルティとして頒布する際に好適に使用することができる。また、シート挟持部２０で書籍４００の表紙４１０を挟持させることにより、ディスクパッケージ１を書籍カバーとして機能させることができるという利点がある。また、本実施形態に係るディスクパッケージ１はきわめて薄型で軽量であるため、多数重ね合わせても嵩張ることが少なく持ち運び易い。従って、多数まとめて販売することが容易となる。
【００４０】
また、以上説明した実施形態に係るディスクパッケージ１においては、１枚の長尺可撓性薄板１００を折曲して重ね合わせ、重ね合わせたシート部分の周縁部同士を接合して、ディスク収納部１０の袋状部１１やシート挟持部２０を構成することができるので、複数の部品を成形する必要がないため、製作が容易である。
【００４１】
また、以上説明した実施形態に係るディスクパッケージ１においては、相互に平行に配置された２本の折曲線３１、３２から構成され若干の幅を有する２段折曲部３０を採用しているため、シート挟持部２０で書籍４００の表紙４１０を挟持する際に、ディスクパッケージ１のシート挟持部２０の面積を書籍４００の表紙４１０の面積と略同一に設定し、書籍４００の背表紙４２０の幅に２段折曲部３０の幅を対応させることができる。従って、シート挟持部２０と表紙４１０との密着度を高めることができる。
【００４２】
また、以上説明した実施形態に係るディスクパッケージ１においては、長尺可撓性薄板１００を、略透明な合成樹脂材料から構成しているため、ディスク収納部１０に収納されたＤＶＤ２００やシート挟持部２０により挟持された各種シート（内容表示シート３００や宣伝情報表示シート３１０等）を、外部から視認することができるようになる。従って、ディスクやシートに表示された各種装飾や各種情報を看者（需要者や取引者）に直接的に開示して印象付けることができるので、販売促進効果を高めることが可能となる。
【００４３】
また、以上説明した実施形態に係る製造方法においては、一枚の長尺可撓性薄板１００を折曲し所要部分を接合する等のきわめて簡素な工程を経てディスクパッケージ１を製造することができる。従って、従来のディスク収納容器を製造する際のように複数の部品を成形する必要がないため、製造のための手間や費用を格段に低減することができる。
【００４４】
また、以上説明した実施形態に係るディスクパッケージ１を装着した書籍４００は、ディスクパッケージ１が書籍カバーとして機能するため、汚れや損傷が低減する。また、書籍カバーとなるディスクパッケージ１はディスク収納部１０を備えるため、書籍４００の内容に関連する情報等を記録したＣＤ等をディスク収納部１０に収納した状態で販売等に供することが可能となる。
【００４５】
また、以上説明した実施形態に係るディスクパッケージ１を備えるノベルティは、製造費用の低減が可能なディスクパッケージ１を用いているため、きわめて安価となり、少ない費用で高い販売促進効果を得ることが可能となる。
【００４６】
＜第２実施形態＞
次に、図１２〜図１５を用いて、本発明の第２実施形態に係るディスクパッケージ１Ａについて説明する。本実施形態に係るディスクパッケージ１Ａは、第１実施形態に係るディスクパッケージ１のディスク収納部１０の構成を変更したものであり、その他の構成については第１実施形態と実質的に同一である。このため、変更した構成を中心に説明することとし、第１実施形態と共通する部分については同一符号を付してその説明を省略する。
【００４７】
まず、本実施形態に係るディスクパッケージ１Ａの構成について説明する。ディスクパッケージ１Ａは、全体としてきわめて薄い略矩形シート状の外観を呈し、図１２及び図１３に示すように、ＤＶＤを収納するディスク収納部１０Ａと、書籍の表紙等の各種シートを挟持するシート挟持部２０Ａと、を備えている。
【００４８】
ディスク収納部１０Ａは、後述する長尺可撓性薄板１００Ａ（図１４）から構成されＤＶＤを収納する袋状部１１Ａを有している。本実施形態においては、長尺可撓性薄板１００Ａを折曲して重ね合わせた部分（後述する第１シート部分１０１及び第２シート部分１０２Ａ：図１４）から袋状部１１Ａを構成している。また、袋状部１１Ａを構成する部分（後述する第２シート部分１０２Ａ：図１４）には、図１における左右方向に延在する帯状切離部１２Ａが設けられている。帯状切離部１２Ａを袋状部１１Ａから切り離すことにより形成される開口部は、袋状部１１Ａに対するＤＶＤの挿入及び取出を実現させる出入口として機能する。帯状切離部１２Ａの図１２における左右方向の寸法は、収納するＤＶＤの直径よりも若干大きい値に設定する。帯状切離部１２Ａは、袋状部１１Ａに形成した切取線１３Ａに沿って切り離される。本実施形態においては、切取線１３Ａの左側端部１３Ａａ（又は右側端部１３Ａｂ）に予め切り込みを入れることにより、帯状切離部１２Ａの左側端部１２Ａａ（又は右側端部１２Ａｂ）を把持して切り離すことができるようになっている。
【００４９】
シート挟持部２０Ａは、ディスク収納部１０Ａの袋状部１１Ａと、長尺可撓性薄板１００Ａの一部（後述する第３シート部分１０３：図１４）と、を重ね合わせて構成した第１挟持部２１Ａと、長尺可撓性薄板１００Ａを折曲して重ね合わせた部分（後述する第４シート部分１０４及び第５シート部分１０５：図１４）から構成した第２挟持部２２と、を有しており、第１挟持部２１及び第２挟持部２２は２段折曲部３０を介して連接されている。２段折曲部３０は、相互に平行に配置された２本の折曲線３１、３２から構成され、ディスクパッケージ１Ａはこの２段折曲部３０で折曲される。本実施形態においては、ディスクパッケージ１Ａが折曲した状態において、ディスク収納部１０Ａとシート挟持部２０Ａの第２挟持部２２とが対峙するようになっている。
【００５０】
次に、図１４〜図１６を用いて、本実施形態に係るディスクパッケージ１Ａの製造方法について説明する。
【００５１】
まず、図１４に示すような長尺で略矩形形状を呈する一枚の長尺可撓性薄板１００Ａを準備する（シート準備工程）。長尺可撓性薄板１００Ａの長さ、幅、材料等は第１実施形態における長尺可撓性薄板１００と同様であるので説明を省略する。
【００５２】
次いで、長尺可撓性薄板１００Ａの長手方向（図１４における左右方向）に沿って略等間隔に、複数の折曲部（第１折曲部１１１、第２折曲部１１２、第３折曲部１１３、２段折曲部３０）を形成する（折曲部形成工程）。各折曲部は、第１実施形態と同様であるので説明を省略する。各折曲部により、長尺可撓性薄板１００Ａは、図１４に示すように５つのシート部分（第１シート部分１０１、第２シート部分１０２Ａ、第３シート部分１０３、第４シート部分１０４、第５シート部分１０５）に区分けされる。これら５つのシート部分の面積比は第１実施形態と実質的に同様であるので説明を省略する。
【００５３】
次いで、長尺可撓性薄板１００Ａの第２シート部分１０２Ａの上方寄り部分に切取線１３Ａを形成する（切取線形成工程）。切取線１３Ａで囲まれる領域は、前記した帯状切離部１２Ａとされ、第２シート部分１０２Ａから切り離し可能とされる。なお、本実施形態においては、折曲部形成工程の後に切取線形成工程を実施しているが、折曲部形成工程と切取線形成工程とを同時に実施することもできる。
【００５４】
次いで、長尺可撓性薄板１００Ａを第１折曲部１１１で折曲し、図１５に示すように折曲した第１シート部分１０１を第２シート部分１０２Ａに重ね合わせる（第１折曲工程）。次いで、長尺可撓性薄板１００Ａを第２折曲部１１２で折曲し、図１６に示すように折曲した第２シート部分１０２Ａを第３シート部分１０３に重ね合わせ、この重ね合わせた部分の下方周縁部１２１Ａ同士を接合する（第２折曲接合工程）。次いで、長尺可撓性薄板１００Ａを第３折曲部１１３で折曲し、折曲した第５シート部分１０５を第４シート部分１０４に重ね合わせ、この重ね合わせた部分の下方周縁部同士を接合する（第３折曲接合工程）。
【００５５】
第１折曲工程及び第２折曲接合工程により、ディスク収納部１０Ａの袋状部１１Ａと、シート挟持部２０Ａの第１挟持部２１Ａと、が形成される。この袋状部１１Ａに上方からＤＶＤを挿入し、袋状部１１Ａの上方周縁部同士を接合することにより、ディスク収納部１０Ａ内にＤＶＤを密封することができる。また、第３折曲接合工程により、シート挟持部２０Ａの第２挟持部２２が形成される。以上の工程群を経て、図１２及び図１３に示したディスクパッケージ１Ａが得られることとなる。なお、本実施形態に係るディスクパッケージ１Ａの平面図（上面図）及び底面図（下面図）は、第１実施形態に係るディスクパッケージ１の平面図及び底面図と実質的に同一であるので、省略することとする。
【００５６】
次に、図１７を用いて、本実施形態に係るディスクパッケージ１Ａの使用態様について説明する。
【００５７】
図１７は、本実施形態に係るディスクパッケージ１Ａのディスク収納部１０Ａの袋状部１１ＡにＤＶＤ２００を収納し、袋状部１１Ａの上方を粘着テープで閉じた（上方周縁部同士を接合した）状態を示すものである。かかる状態からＤＶＤ２００を取り出すには、ディスク収納部１０Ａの袋状部１１Ａに設けられた帯状切離部１２Ａの左側端部１２Ａａを把持して右側に引くことにより、帯状切離部１２Ａを袋状部１１Ａから切り離して出入口（開口部）を形成し、この出入口から袋状部１１Ａの内部に指を挿入してＤＶＤ２００を把持して袋状部１１Ａの外部に引き出すようにする。一方、ディスク収納部１０Ａの袋状部１１ＡにＤＶＤ２００を収納するには、袋状部１１Ａに形成した出入口（開口部）から袋状部１１Ａの内部にＤＶＤ２００を押し込んで挿入する。
【００５８】
また、第１実施形態と同様に、ディスクパッケージ１Ａのシート挟持部２０Ａに内容表示シート３００を挿入することにより、ＤＶＤ２００に録画された内容を容易に把握することができる。また、ディスクパッケージ１Ａのシート挟持部２０Ａに特定の宣伝情報が表示された宣伝情報表示シートを挿入し、要すればディスクパッケージ１Ａを２段折曲部３０で折曲し、これらディスクパッケージ１Ａと宣伝情報表示シートとから構成されるノベルティを頒布に供することもできる。また、ディスクパッケージ１Ａのシート挟持部２０Ａ（第１挟持部２１Ａ及び第２挟持部２２）で書籍の表紙を挟持させることにより、ディスクパッケージ１Ａを書籍カバーとして機能させることもできる。
【００５９】
以上説明した実施形態に係るディスクパッケージ１Ａにおいては、ディスク収納部１０Ａ（及びシート挟持部２０Ａ）が長尺可撓性薄板１００Ａから構成されているため、パッケージ全体の薄型化及び軽量化を実現させることができるとともに、製造費用を節減することが可能となり、なおかつ、落下等の際の破損を防止することができる。また、シート挟持部２０Ａを備えるため、内容表示シート３００や宣伝情報表示シート等の各種シートをこのシート挟持部２０Ａで挟持することができるので、ノベルティとして頒布する際に好適に使用することができる。また、シート挟持部２０Ａで書籍の表紙を挟持させることにより、ディスクパッケージ１Ａを書籍カバーとして機能させることができるという利点がある。
【００６０】
また、以上説明した実施形態に係るディスクパッケージ１Ａにおいては、１枚の長尺可撓性薄板１００Ａを折曲して重ね合わせ、重ね合わせた部分の周縁部同士を接合して、ディスク収納部１０Ａの袋状部１１Ａやシート挟持部２０Ａを構成することができるので、複数の部品を成形する必要がないため、製作が容易である。
【００６１】
また、以上説明した実施形態に係るディスクパッケージ１Ａにおいては、ディスク収納部１０Ａの袋状部１１Ａを構成する第２シート部分１０２Ａの一部（帯状切離部１２Ａ）を切り離し可能に構成し、この一部を切り離すことにより袋状部１１Ａに形成した開口部を、ディスク収納部１０Ａの出入口とすることもできる。かかる構成を採用すると、袋状部１１Ａの一部を切り離す前の状態においてＣＤの抜脱や盗難を防止してＣＤを確実に保護することが可能となる。
【００６２】
なお、以上の各実施形態においては、２重に重ね合わせた可撓性薄板の周縁部同士を接合してディスク収納部の袋状部を１つ構成した例を示したが、３重以上に重ね合わせた可撓性薄板の周縁部同士を接合してディスク収納部の袋状部を２つ以上構成することもできる。また、以上の各実施形態においては、２重に重ね合わせた可撓性薄板の周縁部同士を接合してシート挟持部（第１挟物部及び第２挟持部）構成した例を示したが、３重以上に重ね合わせた可撓性薄板の周縁部同士を接合してシート挟持部を構成することもできる。
【００６３】
また、以上の各実施形態においては、１枚の長尺可撓性薄板を折曲して重ね合わせ、重ね合わせた部分の周縁部同士を接合してディスク収納部の袋状部やシート挟持部を構成した例を示したが、分離した２枚以上の可撓性薄板を重ね合わせ、これら重ね合わせた可撓性薄板の周縁部同士を接合してディスク収納部の袋状部やシート挟持部を構成することもできる。
【００６４】
また、以上の各実施形態においては、２段折曲部を挟んで２つの挟持部（第１挟持部及び第２挟持部）を設け、一方の挟持部側（第１挟持部側）にのみディスク収納部を設けた例を示したが、他方の挟持部側（第２挟持部側）にもディスク収納部を設けることができる。
【００６５】
また、以上の各実施形態においては、ディスク収納部の左右方向に延在する出入口（切込部や開口部）を形成する例を示したが、この出入口の延在方向や位置は特に限定されるものではない。例えば、ディスク収納部の上下方向に延在する切込部をシート部分に設け、この切込部をディスクの出入口として機能させることもできる。
【００６６】
また、以上の各実施形態においては、ＤＶＤ収納用のディスクパッケージに本発明を適用した例を示したが、ＣＤやＭＤ等の情報記録用の各種ディスク（磁気ディスクや光ディスク）を収納するためのディスクパッケージに本発明を適用することもでき、収納するディスクのサイズや枚数に応じてディスクパッケージのサイズを適宜変更することができる。
【００６７】
また、以上の各実施形態においては、可撓性を有し略透明な合成樹脂シートでディスクパッケージを構成した例を示したが、紙やフェルト等の他の可撓性薄板を用いてディスクパッケージを構成することもできる。また、合成樹脂シートは必ずしも略透明でなくてもよく、ディスクパッケージ自体に装飾を施すこともできる。
【００６８】
また、以上の各実施形態においては、正面視で略矩形形状を呈するディスクパッケージを例示したが、ディスクパッケージの形状はこれに限られるものではなく、例えば、正面視で円形状、楕円形状、多角形状を呈するディスクパッケージを採用することもできる。
【図面の簡単な説明】
【００６９】
【図１】本発明の第１実施形態に係るディスクパッケージの正面図である。
【図２】図１に示したディスクパッケージの背面図である。
【図３】図１に示したディスクパッケージの平面図（上面図）である。
【図４】図１に示したディスクパッケージの底面図（下面図）である。
【図５】図１に示したディスクパッケージの展開図である。
【図６】図１に示したディスクパッケージの製造方法を説明するための説明図である。
【図７】同上
【図８】同上
【図９】図１に示したディスクパッケージのディスク収納部にＤＶＤを収納するとともにシート挟持部に内容表示シートを挿入した状態を示す斜視図である。
【図１０】図１に示したディスクパッケージのシート挟持部に宣伝情報表示シートを挿入するとともにディスクパッケージを折曲部で折曲した状態を示す斜視図である。
【図１１】図１に示したディスクパッケージを書籍カバーとして装着した書籍を示す斜視図である。
【図１２】本発明の第２実施形態に係るディスクパッケージの正面図である。
【図１３】図１２に示したディスクパッケージの背面図である。
【図１４】図１２に示したディスクパッケージの展開図である。
【図１５】図１２に示したディスクパッケージの製造方法を説明するための説明図である。
【図１６】同上
【図１７】図１２に示したディスクパッケージのディスク収納部にＤＶＤを収納するとともにシート挟持部に内容表示シートを挿入した状態を示す斜視図である。
【符号の説明】
【００７０】
１・１Ａ…ディスクパッケージ、１０・１０Ａ…ディスク収納部、１１・１１Ａ…袋状部、１２…切込部、１２Ａ…帯状切離部（袋状部を構成する可撓性薄板の一部）、２０・２０Ａ…シート挟持部、２１・２１Ａ…第１挟持部、２２…第２挟持部、３０…２段折曲部、３１・３２…折曲線、１００・１００Ａ…長尺可撓性薄板、１０１…第１シート部分、１０２・１０２Ａ…第２シート部分、１０３…第３シート部分、１０４…第４シート部分、１０５…第５シート部分、１１１…第１折曲部、１１２…第２折曲部、１１３…第３折曲部、１２１…上方周縁部、１２２…下方周縁部、１２３…下方周縁部、２００…ＤＶＤ（ディスク）、３１０…宣伝情報表示シート、４００…書籍、４１０…表紙
【図１】
2007112473.tif 000003
【図２】
2007112473.tif 000004
【図３】
2007112473.tif 000005
【図４】
2007112473.tif 000006
【図５】
2007112473.tif 000007
【図６】
2007112473.tif 000008
【図７】
2007112473.tif 000009
【図８】
2007112473.tif 000010
【図９】
2007112473.tif 000011
【図１０】
2007112473.tif 000012
【図１１】
2007112473.tif 000013
【図１２】
2007112473.tif 000014
【図１３】
2007112473.tif 000015
【図１４】
2007112473.tif 000016
【図１５】
2007112473.tif 000017
【図１６】
2007112473.tif 000018
【図１７】
2007112473.tif 000019